(57)【要約】【課題】  自転車走行等で安全に手信号を示すことができるシグナルライト装置を提供する。【解決手段】  発光部１６，１７が基板上に固定されるとともに、＋Ｚ方向が特定可能な筐体を有しこの＋Ｚ方向が鉛直上方方向に向けられた状態を検知する傾斜センサ２０，２１と、傾斜センサの検知信号に基づいて発光部を所定時間継続して発光させる制御部１８とが固定されたシグナルライト本体１２と、シグナルライト本体とこれを駆動するための駆動用電源１４とを収容するシェル１１と、シェルを手首に装着するための装着部材１３とを備え、シェルを手首に装着した状態の傾斜センサの＋Ｚ方向が手先方向に向くようにシェルに対してシグナルライト本体が配置されるシグナルライト装置とする。【選択図】図１
2020087615.tif 000002
【特許請求の範囲】
【請求項１】
発光部が基板上に固定されるとともに、＋Ｚ方向が特定可能な筐体を有しこの＋Ｚ方向が鉛直上方方向に向けられた状態を検知する傾斜センサと、前記傾斜センサの検知信号に基づいて前記発光部を所定時間継続して発光させる制御部とが前記基板に固定されたシグナルライト本体と、
前記発光部が上面に現れるようにして前記シグナルライト本体とこれを駆動するための駆動用電源とを収容するとともに、前記シグナルライト本体の上を覆う光透過性のカバーを設けたシェルと、
前記シェルを手首に装着するための装着部材とを備え、
前記装着部材により前記シェル部を手首に装着した状態で前記発光部を発光させる腕時計型のシグナルライト装置であって、
前記シェルを手首に装着した状態の前記傾斜センサの＋Ｚ方向が手先方向に向くように前記シェルに対して前記シグナルライト本体が配置されることを特徴とするシグナルライト装置。
【請求項２】
前記傾斜センサは、中心軸がＺ軸方向となる円筒形の筐体をなし、
前記筐体内部にＺ軸方向に転動する導電体の球が挿入され、
前記筐体の底面から天面側に向かう方向を＋Ｚ方向として、底面上で中心を挟んで互いに等距離離隔した二点からそれぞれ＋Ｚ方向に向けて底面から等しい長さになるようにして筐体内で平行に突出する一対の電極が設けられ、
前記導電体の球が前記電極間を導通させたたときに検知信号を発するように形成されている請求項１に記載のシグナルライト装置。
【請求項３】
前記シグナルライト本体の前記基板には前記傾斜センサが２つ互いに＋Ｚ方向が一致するように固定され、
一方の傾斜センサの筐体内の一対の電極が含まれる面をＸＺ面としたときに、他方の傾斜センサの筐体内の一対の電極が含まれる面がＸＺ面に直交するＹＺ面となるように、互いの電極が９０度ねじれた位置関係となるようにして前記基板に固定され、
前記２つの傾斜センサが同時に検知信号を発したときに、＋Ｚ方向が鉛直上方方向に向けられた検知信号を発生する請求項２に記載のシグナルライト装置。
【請求項４】
前記発光部は、少なくとも１つの発光グループで形成され、前記発光グループは少なくとも３つの発光素子が前記基板上で前記傾斜センサの＋Ｚ方向に沿って並べて配置され、
前記制御部は各発光グループに対してグループ内の発光素子を＋Ｚ方向に順に点灯して移動するように発光させる制御を行う請求項１〜３のいずれかに記載のシグナルライト装置。
【請求項５】
前記基板にブザーが設けられ、前記傾斜センサの検知信号に基づいてブザーが鳴動する請求項１〜４のいずれかに記載のシグナルライト装置。
【請求項６】
前記制御部は、常時、通電待機状態となるように配線接続され、前記傾斜センサからの検知信号を受信したときに通電されるとともに制御動作を開始する請求項５に記載のシグナルライト装置。
【請求項７】
前記カバーは、前記発光部の直上に、カバーから出射する発光光の進行方向を広角に拡げるレンズ手段を備えた請求項１〜６のいずれかに記載のシグナルライト装置。
【発明の詳細な説明】
【技術分野】
【０００１】
本発明は、自転車等の運転者や歩行者が移動中に使用するシグナルライト装置に関し、特に自転車等の運転者が夜間走行中に手信号で合図を示す際に好適なシグナルライト装置に関する。
【背景技術】
【０００２】
自転車の運転者が道路を走行する際に、「左折し、右折し、転回し、徐行し、停止し、後退し、又は同一方向に進行しながら進路を変えるときは、手、方向指示器又は灯火により合図をし、かつ、これらの行為が終わるまで当該行為を継続しなければならない。」ことが道路交通法で定められている（道路交通法第５３条）。
そのため、駆動電源として乾電池・充電電池を搭載している電動アシスト自転車や子供用自転車の一部には、これら電源を利用した方向指示器（ウインカー）を設けたものが市販されている。
【０００３】
また、後付けで自転車に装着する方向指示器として、電池を内蔵し、ハンドル等に取り付けたコントローラのスイッチ操作と無線による送信により左右の発光標識部のＬＥＤの発光を制御するものが開示されている（特許文献１参照）。
【先行技術文献】
【特許文献】
【０００４】
【特許文献１】実用新案登録第３１３５７２６号公報
【発明の概要】
【発明が解決しようとする課題】
【０００５】
一般の自転車では、昼夜を問わず走行中は周囲状況を把握して安全を確認するために、また、自らが運転する自転車の存在を、前方、後方の相手方（対向車、歩行者等）に気づかせるために、前方にヘッドランプを設け、後方に反射板またはリアランプを設けているのが一般的であるが、方向指示器（ウィンカー）まで設けたものはほとんど見かけない。
【０００６】
それは、自転車に方向指示器を取り付けるには、自転車後方のサドルやシートポスト、自転車前方のカゴやハンドルに、右折、左折を判別できるように表示する発光体（ＬＥＤ、電球）を取り付けるとともに、ハンドルに右折、左折を切り換えて点灯させるスイッチを設ける必要があり、さらに発光体とスイッチとを配線接続する電気系統が必要となるので、自転車価格が上昇することが一因と考えられる。
【０００７】
特許文献１に記載されるような無線式で方向指示器を制御するものは、発光体とスイッチとを配線する必要がない点で作業コストは抑えられるが、代わりに無線設備のコストが必要になる。
【０００８】
さらに、自転車に装着する方向指示器は、自転車を放置している間に、心無い人によって盗まれたり壊されたりする被害に合うおそれもある。
【０００９】
安全走行の面からすれば、方向指示器を設けていない場合は、手信号で右左折のシグナルを送ることが必要であり、特に夜間走行では、単に手信号を行うだけでは右左折の意思が相手方に伝わりにくいので、何等かの発光体による手信号で右左折の意思表示を明確にすることが望ましい。昼間であっても発光体を用いて手信号で行うことは、より明確に右左折の意思表示を行うことができるので好ましい。
【００１０】
そこで、本発明は自転車走行中に手信号で右左折を示す際に、最低限の片手（特に右手）での動作を行うだけで点灯させることができ、右左折の手信号を安全に出すことが可能なシグナルライト装置を提供することを目的とする。
また、本発明はアクセサリーとしても使用でき、安価に製造できるとともに、必要なときだけに一定動作で確実にシグナルを発生することができるシグナルライト装置を提供することも目的とする。
【課題を解決するための手段】
【００１１】
上記課題を解決するためになされた本発明のシグナルライト装置は、発光部が基板上に固定されるとともに、＋Ｚ方向が特定可能な筐体を有しこの＋Ｚ方向が鉛直上方方向に向けられた状態を検知する傾斜センサと、前記傾斜センサの検知信号に基づいて前記発光部を所定時間継続して発光させる制御部とが前記基板に固定されたシグナルライト本体と、
前記発光部が上面に現れるようにして前記シグナルライト本体とこれを駆動するための駆動用電源とを収容するとともに、前記シグナルライト本体の上を覆う光透過性のカバーを設けたシェルと、
前記シェルを手首に装着するための装着部材とを備え、
前記装着部材により前記シェル部を手首に装着した状態で前記発光部を発光させる腕時計型のシグナルライト装置であって、
前記シェルを手首に装着した状態の前記傾斜センサの＋Ｚ方向が手先方向に向くように前記シェルに対して前記シグナルライト本体が配置されるようにしてある。
【発明の効果】
【００１２】
本発明によれば、基板に傾斜センサと発光体と制御部と電源とが固定されたシグナルライト本体が、装着部材によって手首に装着されたシェルに収容してある。そしてシェルが手首に装着された状態のときにシェル内のシグナルライト本体の傾斜センサの＋Ｚ方向が手先方向に向けられているので、手首を鉛直上向きに挙げる動作を行って手先を上方に向ける行為を行うだけで、傾斜センサは検知信号を発生し、発光体が所定時間継続して発光するようになるので、周囲に手信号を示すことができる。
【００１３】
したがって、シグナルライト装置にはオンオフのための押しボタン等の操作スイッチを設けておらず、手先方向を鉛直上向きにする（手首を挙げる）という簡単な一定動作を行うだけで、発光体を発光させることができるので、自転車走行中であっても、片手で簡単に点灯を開始させて発光による合図を送ることができる。しかもこの手先方向を鉛直上向きにする動作は、車両運転中を含めて通常生活ではほとんど行われない動作であるので、これをトリガーとすることにより、不必要なときに誤って発光させてしまうおそれもほとんど生じない。
また、一定期間点灯した後は自動的に消灯するので、消灯時もスイッチ操作を行う必要がない。したがって、ハンドルから片手を離す行為だけで安全に発光を伴う手信号の合図を示すことができる。
さらに、本発明のシグナルライト装置は、自転車には取り付けず、手首に装着するので自転車を放置しておくときに盗まれたり壊される心配もない。また、歩行者として使用することもでき、アクセサリーとして使用することもできる。
【００１４】
上記発明において、前記傾斜センサは、中心軸がＺ軸方向となる円筒形の筐体をなし、前記筐体内部にＺ軸方向に転動する導電体の球が挿入され、前記筐体の底面から天面側に向かう方向を＋Ｚ方向として、底面上で中心を挟んで互いに等距離離隔した二点からそれぞれ＋Ｚ方向に向けて底面から等しい長さになるようにして筐体内で平行に突出する一対の電極が設けられ、前記導電体の球が前記電極間を導通させたたときに検知信号を発するように形成されるようにしてもよい。
本発明によれば、鉛直上向きの方向を検知しさえすれば足り、そのためのセンサとして、円筒形の筐体と導電体球を利用した非常に簡単な構造のセンサを基板に固定すればよい。これにより、簡単な構造でこわれにくく、しかも小型で、軽量で、安価なセンサとすることができ、その結果、自転車の運転者が購入しやすくなり、夜間運転等での安全に供することができる。
【００１５】
上記発明において、前記シグナルライト本体の前記基板には前記傾斜センサが２つ互いに＋Ｚ方向が一致するように固定され、一方の傾斜センサの筐体内の一対の電極が含まれる面をＸＺ面としたときに、他方の傾斜センサの筐体内の一対の電極が含まれる面がＸＺ面に直交するＹＺ面となるように、互いの電極が９０度ねじれた位置関係となるようにして前記基板に固定され、前記２つの傾斜センサが同時に検知信号を発したときに、＋Ｚ方向が鉛直上方方向に向けられた検知信号を発生するようにしてもよい。
上述した傾斜センサでは、導電体の球と一対の接点との接触は、Ｚ軸と直交するＸＹ面内で接点がＸ方向に向いているので、検知感度の敏感方向があり感度分布の異方性を生じやすい。したがって、２つの傾斜センサを、Ｚ軸方向は同一方向とし、ＸＹ面内で９０度ねじれた関係で基板に固定し、２つの傾斜センサが同時に検知信号を発したときに、＋Ｚ方向が鉛直上方方向に向けられた検知信号を発生するようにすることで、より正確な鉛直方向の検知が可能となり、誤動作を減らすことができる。
【００１６】
上記発明において、前記発光部は、少なくとも１つの発光グループで形成され、前記発光グループは少なくとも３つの発光素子が前記基板上で前記傾斜センサの＋Ｚ方向に沿って並べて配置され、前記制御部は各発光グループに対してグループ内の発光素子を＋Ｚ方向に順に点灯して移動するように発光させる制御を行うようにしてもよい。
これにより、各発光グループは点灯すると光が手首側から手先方向に向けて一方向に走るように光るようになるので、右左折のシグナルであることを理解しやすくすることができる。
【００１７】
上記発明において、前記基板にブザーが設けられ、前記傾斜センサの検知信号に基づいてブザーが鳴動するようにしてもよい。これにより、運転者は点灯動作の開始を目視確認せずともブザー音で確認することができる。
また、前記制御部は、常時、通電待機状態となるように配線接続され、前記傾斜センサからの検知信号を受信したときに通電されるとともに動作を開始するようにしてもよい。
これにより、動かさない限り制御部も含めて電力消費が抑えられる構造にすることができる。また、傾斜センサ以外にスイッチや接点が必要ないので、駆動用電源とシグナルライト本体だけをシェル内で密封するだけで防水性を持たせることができる。
【００１８】
上記発明において、前記カバーは、前記発光部の直上に、カバーから出射する発光光の進行方向を広角に拡げるレンズ手段を備えるようにしてもよい。これにより、装着者がハンドルを持ち続けている場合でも、斜め後方の走行車両から発光信号が見えやすくすることができる。
【図面の簡単な説明】
【００１９】
【図１】本発明の一実施形態であるシグナルライト装置の分解構成図である。
【図２】図１におけるシグナルライト本体の平面図である。
【図３】図１におけるシグナルライト本体の正面図である。
【図４】傾斜センサの内部構造および結線を説明する図である。
【図５】傾斜センサのＸＺ面での検出範囲を示す図である。
【図６】傾斜センサのＸＹ面での検出範囲を示す図である。
【図７】一対の傾斜センサの検出範囲を重ね合わせた図である。
【図８】図１のシグナルライト装置の制御系を示す結線図である。
【図９】ＩＣチップにより制御される動作フローを示す図である。
【図１０】本発明の他の一実施形態であるシグナルライト装置のシェルの部分の平面図（カバーを取り付けた状態で上からみた平面図）である。
【図１１】図１０におけるＢ−Ｂ断面図である。
【発明を実施するための形態】
【００２０】
以下、本発明のシグナルライト装置について図面に基づいて説明する。図１は本発明の一実施形態であるシグナルライト装置の分解構成図である。
シグナルライト装置１０は、主に外観が腕時計と似た形状を有するシェル１１と、シェル１１によって支持されるシグナルライト本体１２と、シェル１１を手首に装着するためのバンド１３とからなる。図２はシグナルライト本体の平面図であり、図３はシグナルライト本体の正面図である。
【００２１】
シェル１１はシグナルライト本体１２を収容する収容ケース１１aが中央に設けられ、これを挟んで両側にバンド１３を取り付けるバンド軸１１ｂ、１１ｃが設けられている。
収容ケース１１aの中央には、孔１１ｄと、その周囲を覆う内側壁１１eが形成されている。孔１１ｄの内側には、シェル１１の裏面側からボタン電池１４が挿入され、シリコンパッキン１１ｆと電池カバー１１ｇで閉じられるようにしてある。内側壁１１ｅの上にはシグナルライト本体１２（後述する基板１５の部分）が載置され、その上をカバー１１ｈがシリコンパッキン１１ｉを介してシグナルライト本体１２全体を覆うようにシェル１１の表面側に固定してある。シリコンパッキン１１ｆ,１１iによってシェル１１は密封構造にしてあり、防水性を備えている。
【００２２】
カバー１１ｈは、周囲から中央に向けて少し盛り上がった湾曲面を有しており、ポリカーボネート、アクリル等の光透過性を有する材料が用いられる。なお、光透過性のカバー１１ｈは後述するＬＥＤの発光が視認できさえすればよく、必ずしも高透過率であることは必要ではなく、透明でも半透明でもよい。また、スモークブラウン色等の色付きのカバーにしたり、複数色にして装飾性を持たせたりしてもよい。
【００２３】
シグナルライト本体１２は、収容ケース１１ａに収まる大きさの電気配線用のプリント基板１５と、この基板１５上に固定される複数のＬＥＤからなる発光部１６，１７と、ＩＣチップ１８と、ブザー１９と、この基板１５を挟んで両横側に配線接続される一対の傾斜センサ２０，２１とにより構成される。
【００２４】
発光部１６，１７は、３つのＬＥＤ１６ａ，１６ｂ，１６ｃ、３つのＬＥＤ１７ａ，１７ｂ，１７ｃによって、それぞれ発光グループを構成し、各発光グループのＬＥＤは１６ａ，１６ｂ，１６ｃ（１７ａ，１７ｂ，１７ｃ）の順で一方向（＋Ｚ方向とする）に直線配置されている。シェル１１とシグナルライト本体１２との位置関係は、シェル１１をバンド１３によって手首に装着したときに、この＋Ｚ方向が手先方向を向くように、バンド１３の長手方向と＋Ｚ方向とが直交する配置になるように、シェル１１に対しシグナルライト本体１２が収容されるようにしてある（右手と左手とでバンド１３を装着する向きを調整する必要がある）。
【００２５】
傾斜センサ２０，２１は円筒形の筐体を有する。図４は傾斜センサの内部構造と結線を説明する図である。傾斜センサ２０，２１は筐体が底面２０ａ，２１ａ、天面２０ｂ，２１ｂ、側面２０ｃ，２１ｃからなり、このセンサの筐体の中心軸が発光部１６，１７の各ＬＥＤが並ぶ直線方向（＋Ｚ方向）と一致するようにして基板１５の両側に固定し、中心軸がＺ軸方向となるようにしてある。なお、センサの筐体の底面側から天面側に向く方向が＋Ｚ方向となるように固定される。傾斜センサ２０，２１の筐体内部には導電体である金属球２０ｄ，２１ｄが入れてある。底面２０ａ，２１ａの中心を挟んで両側に等距離離隔した二点の位置から、電極２０ｅ，２０ｆ、電極２１ｅ，２１ｆが挿入してあり、筐体内部では互いに平行に＋Ｚ方向に向けて、底面からの長さが同じとなるように電極が突出するようにしてある。これにより、電極２０ｅ，２０ｆ、電極２１ｅ，２１は筐体内で検知信号を発生するための接点として働く。
【００２６】
すなわち、傾斜センサ２０，２１は底面２０ａ，２１ａを下にして＋Ｚ方向が鉛直上向きになったときに、金属球２０ｄ，２１ｄが重力によって下方に移動し、これにより電極２０ｅ，２０ｆ、電極２１ｅ，２１ｆと金属球２０ｄ，２１ｄが接触して導通することで検知信号がＩＣチップ１８に送られる。
【００２７】
また、傾斜センサ２０と傾斜センサ２１とは、基板１５に固定する際に、一方の一対の電極２０ｅ，２０ｆが含まれる面をＸＺ面としたときに、他方の一対の電極２１ｅ，２１ｆが含まれる面がＸＺ面と直交するＹＺ面となるように、電極どうしが互いに９０度ねじれた位置関係となるようにして基板１５に固定してある。
【００２８】
これは傾斜センサ２０，２１が簡単な構造であるため、Ｚ軸方向に直交するＸＹ面内で感度分布の異方性を解消するためである。
図５は、一方の傾斜センサ２０を底面２０ａの中心（Ｚ軸との交点）を原点として、原点を中心にＸＺ面内で回転させたときに検知信号が発生する範囲を「安定的に検知する範囲（濃いハッチング）」「検知が不安定な範囲（薄いハッチング）」「検知しない範囲」に分けて模式的に示した感度分布の図である。
図６は、さらに立体角的にＹ方向にも動かした際の検知信号が発生する範囲を「安定的に検知する範囲」「検知が不安定な範囲」「検知しない範囲」に分けてＸＹ面で示した感度分布の図である。１つの傾斜センサ２０で検知信号を検出する場合は、ＸＹ面での感度良好な領域の分布は楕円形を示しており、感度良好な方向が一方向に偏っている。
そのため、２つの傾斜センサ２０，２１で、それぞれの感度良好な方向を９０度ずらすようにして基板１５に固定すると、図７に示すように、図６の２つの感度分布を９０度ずらして重ね合わせた形状の感度分布となり、安定的な検知範囲は＋Ｚ軸の近くでほぼ等方的に分布することになる。このように良好な感度分布になる効果を得るために、傾斜センサは互いの電極が９０度ねじれるように配置するようにしている。
【００２９】
そして図４に示されるように、傾斜センサ２０，２１は直列に結線され、２つの傾斜センサが同時に鉛直上向きであることを検知したときに２つの端子間（ＡＢ間）が導通して検知信号を発するようにしてある。
【００３０】
ＩＣチップ１８はシグナルライト本体１２の動作を制御する制御部であり、傾斜信号２０，２１からの検知信号を受けたときに、ブザー１９を鳴動するとともに、発光部１６，１７のＬＥＤを点灯する制御を行う。
【００３１】
図８はシグナルライト装置１０の制御系を示す結線図である。スイッチ機能は傾斜センサ２０，２１だけで、これら以外には設けていない。ボタン電池１４によりＩＣチップ１８（制御部）は常時通電できるように配線接続されているが、傾斜センサ２０，２１がＯＦＦ状態のときは待機状態となっており、傾斜センサ２０，２１からのＯＮ信号に基づいて、ＩＣチップ１８が作動してクロック信号を発生して制御動作が開始され、後述する動作フローでＬＥＤ、ブザーに所定のタイミングで通電が行われ、設定された時間経過後に待機状態に戻るようにしてある。したがって、シグナルライト装置１０は、ＩＣチップ１８が待機状態になった後は、再び傾斜センサ２０，２１がＯＮ信号を発するまではＩＣチップ１８も含めて電力消費が抑えられる構造にしてある。
これにより物理的スイッチや接点を最小限にすることができ、コンパクトで故障が生じにくく、しかも低コストで製造できるようにしてある。
また、傾斜センサ２０，２１以外にスイッチを設けていないので、ボタン電池１４とシグナルライト本体１２だけをシェル１１でパッキンにより密封するだけで、防水性を持たせることが可能になる。
【００３２】
次に、シグナルライト装置１０の具体的な動作について説明する。ここでは使用者が右手首に装着して自転車走行する場合を例にして説明する。
図９はＩＣチップ１８により制御されるブザー１９と発光部１６，１７の各ＬＥＤの動作を示すフロー図である。シグナルライト装置１０の装着者は、右手首を０．５秒程度鉛直上向きに挙げることにより、２つの傾斜センサ２０，２１が同時に接点がＯＮとなって検知信号がＩＣチップ１８に送られる。これによりブザー１８が約０．１秒間鳴動し、装着者はブザー音によって動作が開始されたことを確認することができるので、手を鉛直上向きから降ろす。
【００３３】
続いて発光部１６，１７は、それぞれの発光グループごとに、＋Ｚ方向に進む順に、すなわち、最初にＬＥＤ１６ａ（１７ａ）を約０．３秒点灯して消灯し、続いてＬＥＤ１６ｂ（１７ｂ）を約０．３秒点灯して消灯し、続いてＬＥＤ１６ｃ（１７ｃ）を約０．３秒点灯して消灯し、再びＬＥＤ１６ａ（１７ａ）に戻って約０．３秒点灯して消灯し、以下同様の点灯動作および消灯動作を６秒程度（右折に要する平均時間）継続する。これにより、基板１５上で発光部１６，１７の各ＬＥＤは＋Ｚ方向に走るように発光するようになり、光が手先方向に進行するように発光するようになる。そして6秒間経過すると、発光が自動停止する。その後、再び、手首を鉛直上向きに挙げられるまでは停止状態になる。
【００３４】
したがって、ＬＥＤの発光中に、装着者が手信号を行うことで周囲の車両に対し、右左折や転回、徐行、停止、進路変更の意思をアピールすることができる。
特に自転車は道路の左側を走行しているので、右折、右車線への進路変更の際に、右斜め後ろの走行車両に注意喚起することが必要であるが、右手首側だけが発光する事によって、右折、右車線への進路変更時に十分に注意喚起しながら安全確保のためにハンドルを両手で持って運転することができる。
【００３５】
以上、本発明の一態様について説明したが、これに限られず、本発明の趣旨を逸脱しない範囲で種々の変形実施が可能である。以下にいくつかの変形実施例について説明する。
【００３６】
上記実施形態では、シグナルライト本体１２のＬＥＤ１６ａ，１６ｂ，１６ｃ（１７ａ，１７ｂ，１７ｃ）の真上部分は凹凸のないカバー１１ｈで覆うようにしていたが、シェル１１を覆うカバーにレンズ効果を奏する凹凸を設けることにより、カバーから出射する発光光の進行方向を広角にして、装着者がハンドルを持ち続けている場合でも、斜め後方の走行車両から発光信号が見えやすくなるようにしてもよい。
すなわち、図１０は本発明の他の一実施形態であるシグナルライト装置のシェルの部分の平面図（カバーを取り付けた状態で上からみた平面図）であり、図１１は図１０におけるＢ−Ｂ断面図である。図１と同じ構成部分は同符号を付すことにより説明の一部を省略する。
【００３７】
本実施形態で使用するカバー３０は、ポリカーボネート樹脂製の成形品であり、カバー３０の外面側は図１のカバー１１ｈと同様の滑らかな湾曲面にしてあるが、内面側はＬＥＤ１６ａ，１６ｂ，１６ｃ（１７ａ，１７ｂ，１７ｃ）を取り付ける位置の直上で、Ｚ軸の方向に沿って各ＬＥＤを覆う幅で、各ＬＥＤとカバー３０とが面接触するまで肉厚を厚くするとともに、隣接するＬＥＤ間には傾斜面３３，３４,３５,３６を形成するようにして凹凸形状をなすようにしてある。傾斜面３３，３５の角度はＬＥＤ１６ａ，１６ｂの発光面の法線に対し＋Ｚ方向に４５°〜６０°としてある。傾斜面３４,３６の角度はＬＥＤ１６ｂ，１６ｃの発光面の法線に対し−Ｚ方向に４５°〜６０°としてある。図１１では各ＬＥＤから照射される発光光を破線で示している。ＬＥＤの発光面から出射した光は、カバー３０との接触面から入射してカバー３０内で散光し外表面３１から出射する。その結果、各ＬＥＤから出射する発光光の一部は傾斜面に沿って進行するようになる。
【００３８】
自転車のハンドルを握った状態では、装着者の手先方向は自転車の走行（進行）方向に向いているので、図１１での＋Ｚ方向が走行方向となる。
ここで、中央のＬＥＤ１６ｂから出射する発光光に着目すると、傾斜面３４に沿って進行する発光光（図中、太い破線で示す）は進行方向である＋Ｚ方向に対し、斜め後方に向かう。また、手先に近い側のＬＥＤ１６Ｃから出射する発光光に着目すると、傾斜面３６に沿って進行する発光光（図中、太い破線で示す）についても＋Ｚ方向に対して斜め後方に向かう。よってカバー３０を採用することにより、後方からは見えにくい位置にあるＬＥＤ１６ｂ、そしてＬＥＤ１６ｂよりもさらに見えにくい位置にあるＬＥＤ１６ｃについても、傾斜面３４、３６によって、斜め後方に進行する発光光を生じさせるレンズ効果を奏することができるようになる。
【００３９】
また、上記実施形態では、２つの発光部１６,１７を設けたが発光部を１つにしてもよいし発光部を３つ以上にしてもよい。
また、一つの発光グループに含まれるＬＥＤは３つとするのが望ましいが、光が手先方向に進行するように見せる必要がなければ、ＬＥＤが１つでも、２つでもよい。その場合でも、シェル１１に対するシグナルライト本体１２の取り付ける向きを傾斜センサの＋Ｚ方向が進行方向となるように設計すればよい。
【００４０】
また、図１の実施形態では防水性維持のためにカバー１１ｈで密封構造としていることから、ブザー１９の鳴動音が減衰しやすくなっている。そこで、ブザー音を聞こえやすくするために、図１０の実施形態で示すようにブザー１９の直上のカバー３０の部分に小孔を設けてもよい。ただし、防水性を維持するためにカバー３０の内面に防水シート（不図示）を貼り付けるようにする。具体的にはブザー音の減衰は小さく抑えることができ、かつ、防水性が優れた材料として市販の熱可塑性ウレタン樹脂製の防水シートを用いることができる。
【００４１】
また、シェル１１を手首に装着するためにバンド１３を用いたが、手首に装着できる装着部材であればこれに限られない。例えば、円弧状の弾性クリップをバンド軸１１ｂ、１１ｃに取り付けて弾性クリップで手首に把持させてもよい。
また、上記実施形態では右手首に装着したが、左手首にも装置を追加装着することで、左折サインをする際に手を水平に伸ばして明示的に行えるようにすることも可能である。このように両手首にそれぞれ本装置を装着すれば、より明確な右左折の手信号による合図を示すことができることになる。
また、上記実施形態では、自転車走行の際に装着する場合を説明したが、歩行者が装着してもよい。
【産業上の利用可能性】
【００４２】
本発明は、一般的な車両及び歩行者が通行する際の方向指示に追加する注意喚起のためのシグナルライト装置として好適に利用できる。
【符号の説明】
【００４３】
１０  シグナルライト装置
１１  シェル
１２  シグナルライト本体
１３  バンド（装着部材）
１４  ボタン電池
１５  基板
１６  発光部（ＬＥＤ群）
１７  発光部（ＬＥＤ群）
１８  ＩＣチップ（制御部）
１９  ブザー
２０  傾斜センサ
２１  傾斜センサ
【図１】
2020087615.tif 000003
【図２】
2020087615.tif 000004
【図３】
2020087615.tif 000005
【図４】
2020087615.tif 000006
【図５】
2020087615.tif 000007
【図６】
2020087615.tif 000008
【図７】
2020087615.tif 000009
【図８】
2020087615.tif 000010
【図９】
2020087615.tif 000011
【図１０】
2020087615.tif 000012
【図１１】
2020087615.tif 000013